【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】
【請求項１】
局所的送達用の無水状態の組成物において、
（ａ）アルコールと、
（ｂ）プロピレングリコールと、
（ｃ）ポリエチレングリコールと、
（ｄ）グリセリンと、
（ｅ）ケトコナゾールと、を含み、
前記組成物はゲルとして作られる、組成物。
【請求項２】
請求項１に記載の組成物において、
前記ケトコナゾールは可溶性である、組成物。
【請求項３】
請求項２に記載の組成物において、
前記ケトコナゾールの量は０．５〜３．０重量パーセントである、組成物。
【請求項４】
請求項２に記載の組成物において、
前記ケトコナゾールの量は２．０重量パーセントである、組成物。
【請求項５】
請求項１に記載の組成物において、
前記アルコールの量は１．０〜５０重量パーセントである、組成物。
【請求項６】
請求項１または５のいずれかに記載の組成物において、
前記アルコールはエタノールである、組成物。
【請求項７】
請求項１に記載の組成物において、
前記ポリエチレングリコールの量は１．０〜８０重量パーセントである、組成物。
【請求項８】
請求項７に記載の組成物において、
前記ポリエチレングリコールの量は２０重量パーセントである、組成物。
【請求項９】
請求項１に記載の組成物において、
前記プロピレングリコールの量は１．０〜５０重量パーセントである、組成物。
【請求項１０】
請求項９に記載の組成物において、
前記プロピレングリコールの量は２０重量パーセントである、組成物。
【請求項１１】
請求項１に記載の組成物において、
前記グリセリンの量は１０〜８０重量パーセントである、組成物。
【請求項１２】
請求項１１に記載の組成物において、
前記グリセリンの量は２０重量パーセントである、組成物。
【請求項１３】
請求項１に記載の組成物において、
前記組成物はＰＰＧ−１５ステアリルエーテルをさらに含む、組成物。
【請求項１４】
請求項１３に記載の組成物において、
前記ＰＰＧ−１５ステアリルエーテルの量は２重量パーセントを超えない、組成物。
【請求項１５】
請求項１４に記載の組成物において、
前記ＰＰＧ−１５ステアリルエーテルの量は２．０重量パーセントである、組成物。
【請求項１６】
請求項１に記載の組成物において、
前記組成物はヒドロキシプロピルセルロースをさらに含む、組成物。
【請求項１７】
請求項１６に記載の組成物において、
前記ヒドロキシプロピルセルロースの量は５．０重量パーセントを超えない、組成物。
【請求項１８】
請求項１７に記載の組成物において、
前記ヒドロキシプロピルセルロースの量は１．５〜２．０重量パーセントである、組成物。
【請求項１９】
請求項１に記載の組成物において、
前記組成物はアスコルビン酸をさらに含む、組成物。
【請求項２０】
請求項１９に記載の組成物において、
前記アスコルビン酸の量は２．０重量パーセントを超えない、組成物。
【請求項２１】
請求項２０に記載の組成物において、
前記アスコルビン酸の量は０．３重量パーセントである、組成物。
【請求項２２】
請求項１に記載の組成物において、
前記組成物はブチル化ヒドロキシトルエンをさらに含む、組成物。
【請求項２３】
請求項２２に記載の組成物において、
前記ブチル化ヒドロキシトルエンの量は２．０重量パーセントを超えない、組成物。
【請求項２４】
請求項２３に記載の組成物において、
前記ブチル化ヒドロキシトルエンの量は０．１重量パーセントである、組成物。
【請求項２５】
請求項１に記載の組成物において、
前記組成物はクエン酸をさらに含む、組成物。
【請求項２６】
請求項２５に記載の組成物において、
前記クエン酸の量は２．０重量パーセントを超えない、組成物。
【請求項２７】
請求項２６に記載の組成物において、
前記クエン酸の量は０．１重量パーセントである、組成物。
【請求項２８】
請求項１に記載の組成物において、
前記組成物は１つ以上の着色剤をさらに含む、組成物。
【請求項２９】
請求項１に記載の組成物において、
前記組成物はステロイドをさらに含む、組成物。
【請求項３０】
請求項２９に記載の組成物において、
前記ステロイドはグルココルチコステロイド（glucocorticosteroid）である、組成物。
【請求項３１】
請求項３０に記載の組成物において、
前記グルココルチコステロイドはデソニドである、組成物。
【請求項３２】
請求項３１に記載の組成物において、
前記デソニドの量は０．０００１〜１０重量パーセントである、組成物。
【請求項３３】
局所的送達用に作られた無水状態の組成物において、
（ａ）プロピレングリコールと、
（ｂ）ポリエチレングリコールと、
（ｃ）グリセリンと、
（ｄ）アルコールと、
（ｅ）ケトコナゾールと、
（ｆ）ＰＰＧ−１５ステアリルエーテルと、
（ｇ）ヒドロキシプロピルセルロースと、
（ｈ）アスコルビン酸と、
（ｉ）ブチル化ヒドロキシトルエンと、
（ｊ）クエン酸と、を含み、
前記組成物はゲルとして作られる、組成物。
【請求項３４】
請求項３３に記載の組成物において、
前記組成物はデソニドをさらに含む、組成物。
【請求項３５】
局所的送達用に作られた無水状態の組成物において、
（ａ）プロピレングリコールと、
（ｂ）ポリエチレングリコールと、
（ｃ）グリセリンと、
（ｄ）アルコールと、
（ｅ）ケトコナゾールと、
（ｆ）ＰＰＧ−１５ステアリルエーテルと、
（ｇ）ヒドロキシプロピルセルロースと、
（ｈ）アスコルビン酸と、
（ｉ）ブチル化ヒドロキシトルエンと、
（ｊ）クエン酸と、
（ｋ）１つ以上の着色剤と、から本質的になり、
前記組成物はゲルとして作られる、組成物。
【請求項３６】
局所的送達用に作られた無水状態の組成物において、
（ａ）プロピレングリコールと、
（ｂ）ポリエチレングリコールと、
（ｃ）グリセリンと、
（ｄ）アルコールと、
（ｅ）ケトコナゾールと、
（ｆ）ＰＰＧ−１５ステアリルエーテルと、
（ｇ）ヒドロキシプロピルセルロースと、
（ｈ）アスコルビン酸と、
（ｉ）ブチル化ヒドロキシトルエンと、
（ｊ）クエン酸と、
（ｋ）デソニドと、
（ｌ）１つ以上の着色剤と、から本質的になり、
前記組成物はゲルとして作られる、組成物。
【請求項３７】
組成物の投与を必要とする患者に対して前記組成物を局所的に投与する方法において、
請求項１、３３、３５および３６のいずれかに記載の組成物を、前記患者に対して局所的に投与する工程を含む、方法。
【請求項３８】
請求項３７に記載の方法において、
前記患者は人間である、方法。
【請求項３９】
哺乳類動物の皮膚真菌性異常症状を治療する方法において、
請求項１、３３、３５および３６のいずれかに記載の組成物を、前記哺乳類動物に対して局所的に投与する工程を含む、方法。
【請求項４０】
請求項３９に記載の方法において、
前記哺乳類動物は人間である、方法。
【請求項４１】
請求項３９に記載の方法において、
前記皮膚真菌性異常症状はＴルブラム（T. rubrum）および／もしくはＰオベール（P. ovale）の存在と関係がある、方法。
【請求項４２】
請求項３９に記載の方法において、
前記皮膚真菌性異常症状は体部白癬、股部白癬、足白癬および脂漏性皮膚炎から選択される、方法。
【請求項４３】
請求項３９に記載の方法において、
前記皮膚真菌性異常症状は脂漏性皮膚炎である、方法。
【請求項４４】
哺乳類動物におけるＴルブラムおよび／もしくはＰオベールの増殖を抑制する方法において、
請求項１、３３、３５および３６のいずれかに記載の組成物を、哺乳類動物に対して局所的に投与する工程を含む、方法。
【請求項４５】
請求項４４に記載の方法において、
前記哺乳類動物は人間である、方法。